(57)【要約】【課題】第１の端子の弾性変形によって第２の端子に生じる負荷を低減させることの可能なコネクタを提供する。【解決手段】第１の基板１００側に配置される第１の固定ハウジング１０に対して移動可能な第１の可動ハウジング２０と、第１の可動ハウジング２０の移動に伴って弾性変形する複数のプラグ端子３０と、第２の基板２００側に配置される第２の固定ハウジング５０に対して移動可能な第２の可動ハウジング６０と、第２の可動ハウジング６０の移動に伴って弾性変形するとともに、第２の可動ハウジング６０が第１の可動ハウジング２０に嵌合したときに各プラグ端子３０の他端側に接触する複数のソケット端子７０とを備えたので、プラグ端子３０の弾性変形によってソケット端子７０に生じる負荷を低減させることができ、ソケット端子７０と第２の基板２００との接続信頼性を向上させることができる。【選択図】図９
2007220542.tif 000002
【特許請求の範囲】
【請求項１】
一方の接続対象物側に配置される第１の固定ハウジングと、
第１の固定ハウジングに対して移動可能に設けられた第１の可動ハウジングと、
一端側が第１の固定ハウジングに保持されるとともに他端側が第１の可動ハウジングに保持され、第１の可動ハウジングの移動に伴って弾性変形するように形成された複数の第１の端子と、
他方の接続対象物側に配置される第２の固定ハウジングと、
第２の固定ハウジングに対して移動可能に設けられ、第１の可動ハウジングに嵌合可能に形成された第２の可動ハウジングと、
一端側が第２の固定ハウジングに保持されるとともに他端側が第２の可動ハウジングに保持され、第２の可動ハウジングの移動に伴って弾性変形するとともに、第２の可動ハウジングが第１の可動ハウジングに嵌合したときに各第１の端子の他端側にそれぞれ接触するように形成された複数の第２の端子とを備えた
ことを特徴とするコネクタ。
【請求項２】
前記第１の可動ハウジングに、第１の固定ハウジングに保持された各第１の端子の一端側を覆うように第２の可動ハウジングとの嵌合方向に直交する方向に延出するフランジを設けた
ことを特徴とする請求項１記載のコネクタ。
【請求項３】
前記第２の可動ハウジングに、第２の固定ハウジングに保持された各第２の端子の一端側を覆うように第１の可動ハウジングとの嵌合方向に直交する方向に延出するフランジを設けた
ことを特徴とする請求項１または２記載のコネクタ。
【請求項４】
前記第１及び第２の固定ハウジングを互いに同一形状の部品によって形成した
ことを特徴とする請求項１、２または３記載のコネクタ。
【請求項５】
前記第１の固定ハウジングに、第１の端子の一端側を一方の接続対象物側から覆う底面部を設けた
ことを特徴とする請求項１、２、３または４記載のコネクタ。
【請求項６】
前記第２の固定ハウジングに、第２の端子の一端側を他方の接続対象物側から覆う底面部を設けた
ことを特徴とする請求項１、２、３、４または５記載のコネクタ。
【請求項７】
前記第１の固定ハウジングに、第１の端子と一方の接続対象物との接続部よりも外側に向かって突出する突出部を設けた
ことを特徴とする請求項１、２、３、４、５または６記載のコネクタ。
【請求項８】
前記第２の固定ハウジングに、第２の端子と他方の接続対象物との接続部よりも外側に向かって突出する突出部を設けた
ことを特徴とする請求項１、２、３、４、５、６または７記載のコネクタ。
【発明の詳細な説明】
【技術分野】
【０００１】
本発明は、プリント基板等に取り付けられ、複数の基板を電気的に接続するために用いられるコネクタに関するものである。
【背景技術】
【０００２】
従来、この種のコネクタとして、一方の接続対象物側に配置される第１の固定ハウジングと、第１の固定ハウジングに対して移動可能に設けられた可動ハウジングと、一端側が固定ハウジングに保持されるとともに他端側が可動ハウジングに保持され、可動ハウジングの移動に伴って弾性変形するように形成された複数の第１の端子と、他方の接続対象物側に配置され、可動ハウジングに嵌合可能に形成された第２の固定ハウジングと、第２の固定ハウジングに保持されるとともに、第２の固定ハウジングが可動ハウジングに嵌合したときに各第１の端子の他端側にそれぞれ接触する複数の第２の端子とを備えたものが知られている（例えば特許文献１参照）。
【特許文献１】特開平１０−３２６６５１号公報
【発明の開示】
【発明が解決しようとする課題】
【０００３】
しかしながら、このコネクタでは、第２の固定ハウジングに保持された各第２の端子が他方の接続対象物に固定されているので、各第１の端子が弾性変形した状態で第２の固定ハウジングと可動ハウジングとが互いに嵌合している場合には、各第１の端子の復元力による嵌合方向への負荷が各第２の端子に生じ、各第２の端子と他方の接続対象物との接続信頼性を低下させるという問題点があった。
【０００４】
本発明は前記問題点に鑑みてなされたものであり、その目的とするところは、第１の端子の弾性変形によって第２の端子に生じる負荷を低減させることの可能なコネクタを提供することにある。
【課題を解決するための手段】
【０００５】
本発明は、前記目的を達成するために、一方の接続対象物側に配置される第１の固定ハウジングと、第１のハウジングに対して移動可能に設けられた第１の可動ハウジングと、一端側が第１の固定ハウジングに保持されるとともに他端側が第１の可動ハウジングに保持され、第１の可動ハウジングの移動に伴って弾性変形するように形成された複数の第１の端子と、他方の接続対象物側に配置される第２の固定ハウジングと、第２の固定ハウジングに対して移動可能に設けられ、第１の可動ハウジングに嵌合可能に形成された第２の可動ハウジングと、一端側が第２の固定ハウジングに保持されるとともに他端側が第２の可動ハウジングに保持され、第２の可動ハウジングの移動に伴って弾性変形するとともに、第２の可動ハウジングが第１の可動ハウジングに嵌合したときに各第１の端子の他端側にそれぞれ接触するように形成された複数の第２の端子とを備えている。
【０００６】
これにより、第１の端子の弾性変形に応じて、これに接触する第２の端子が弾性変形することから、第１の端子の弾性変形によって第２の端子に生じる負荷が低減される。
【発明の効果】
【０００７】
本発明によれば、第１の端子の弾性変形によって第２の端子に生じる負荷を低減させることができるので、第２の端子と他方の接続対象物との接続信頼性を向上させることができる。また、第１及び第２の端子が弾性変形するので、可動範囲を大きくすることができるとともに、一方の接続対象物と他方の接続対象物との位置ずれを吸収して電気的接続を容易に行うことができる。
【発明を実施するための最良の形態】
【０００８】
図１乃至図１０は本発明の一実施形態を示すもので、図１はプラグの斜視図、図２はプラグの平面図、図３はプラグ端子の側面図、図４はプラグの側面断面図、図５はソケットの斜視図、図６はソケットの平面図、図７はソケット端子の側面図、図８はソケットの側面断面図、図９及び図１０はプラグとソケットの嵌合時の動作を示す側面断面図である。
【０００９】
このコネクタはプラグ１とソケット２からなり、プラグ１に接続された一方の接続対象物としての第１の基板１００と、ソケット２に接続された他方の接続対象物としての第２の基板２００とを電気的に接続させるために用いられるものである。
【００１０】
プラグ１には、第１の基板１００側に配置される第１の固定ハウジング１０と、第１の固定ハウジング１０に対して幅方向（図中Ｘ方向）、前後方向（図中Ｙ方向）及び上下方向（図中Ｚ方向）に移動可能に設けられた第１の可動ハウジング２０と、一端側が第１の固定ハウジング１０に保持されるとともに他端側が第１の可動ハウジング２０に保持され、第１の固定ハウジング１０に対する第１の可動ハウジング２０の移動に伴って弾性変形するように形成された第１の端子としての複数のプラグ端子３０と、第１の可動ハウジング２０の移動を規制する一対の第1のストッパ部材４０とが設けられている。
【００１１】
第１の固定ハウジング１０は合成樹脂の成形品からなり、上面が開口した箱型形状をなしている。即ち、第１の固定ハウジング１０は、前面部１１、背面部１２、幅方向両側面部１３及び底面部１４からなり、前面部１１及び背面部１２には、各プラグ端子３０を保持する複数の端子孔１５と、各端子孔１５の配列方向（図中Ｘ方向）両端側において第１の固定ハウジング１０の外側に向かって突出する一対の突出部１６と、幅方向両端側の上部に形成された一対の凹部１７とがそれぞれ設けられている。また、各側面部１３の上部には、第１の可動ハウジング２０を係合する係合部１８がそれぞれ設けられている。
【００１２】
第１の可動ハウジング２０は合成樹脂の成形品からなり、上面が開口した箱型形状をなすハウジング本体２１が設けられている。ハウジング本体１１の幅方向側壁部には、各プラグ端子３０を保持する複数の端子孔２２が上下方向に延びるとともに、ハウジング本体２１の底面２１ａを貫通するように形成されている。また、ハウジング本体２１の前面及び後面には、第１の可動ハウジング２０の外側に向かって延出するフランジ２３がそれぞれ設けられており、ハウジング本体２１の幅方向両側面には、第１の固定ハウジング１０の係合部１８に係合する突起２４がそれぞれ設けられている。
【００１３】
各プラグ端子３０は弾性変形可能な導電性の金属板からなり、プラグ１の前後方向両側にそれぞれ一列ずつ配列されている。プラグ端子３０は、図３に示すように、第１の基板１００に接続される接続部３１が後方に延びるように形成されている。また、プラグ端子３０には、接続部３１の後端から斜め上方に向かって延びる第１の真直部３２と、第１の真直部３２の上端から上方に向かって屈曲する屈曲部３３と、屈曲部３３から後方に延びる第２の真直部３４と、第２の真直部３４から上方に向かって延びる接触部３５とが設けられており、プラグ端子３０は、屈曲部３３を基点として幅方向、前後方向及び上下方向に弾性変形するようになっている。
【００１４】
各ストッパ部材４０は、金属板を折り曲げ加工することによって前後方向（図中Ｙ方向）に延びるように形成されており、一端側と他端側とが互いに対向するように略コ字状に形成された規制部本体４１と、規制部本体４１の前後方向両端からそれぞれ前方または後方に延びる一対の基板接続部４２とが設けられている。規制部本体４１は、第１の固定ハウジング１０の凹部１７に圧入可能に形成され、各基板接続部４２は、規制部本体４１が溝部１７に圧入されると、第１の基板１００に接触するようになっている。
【００１５】
ここで、各プラグ端子３０を第１の固定ハウジング１０に取り付ける場合には、端子孔１５にプラグ端子３０を上方から圧入する。このとき、図４に示すように、プラグ端子３０の第１の真直部３２の上端側が第１の固定ハウジング１０の端子孔１５に保持される。また、各プラグ端子３０に対して第１の可動ハウジング２０を上方から圧入すると、プラグ端子３０の接触部３５が、ハウジング本体２１の底面２１ａを貫通し、第１の可動ハウジング２０の端子孔２２に保持される。この場合、第１の可動ハウジング２０の突起２４は第１の固定ハウジング１０の係合部１８内に配置され、係合部１８によって突起２４即ち第１の可動ハウジング２０の前後方向及び下方への移動が所定範囲内に規制される。また、第１のストッパ部材４０が第１の固定ハウジング１０の溝部１７に圧入されると、係合部１８の上方が規制部本体４１によって覆われ、第１の可動ハウジング２０の幅方向及び上方への移動が所定範囲内に規制される。
【００１６】
この場合、各プラグ端子３０の接続部３１が第１の固定ハウジング１０の前後方向にそれぞれ突出し、各突出部１６が各プラグ端子３０の接続部３１より外側に向かって突出するようになっている。また、各プラグ端子３０の一端側、即ち第１の真直部３２、屈曲部３３及び第２の真直部３４は、上方が第１の可動ハウジング２０のフランジ２３に覆われるとともに、下方が第１の固定ハウジング１０の底面部１４によって覆われる。
【００１７】
次に、ソケット２の構成について説明する。ソケット２には、第２の基板２００側に配置される第２の固定ハウジング５０と、第２の固定ハウジング５０に対して幅方向（図中Ｘ方向）、前後方向（図中Ｙ方向）及び上下方向（図中Ｚ方向）に移動可能に設けられた第２の可動ハウジング６０と、一端側が第２の固定ハウジング５０に保持されるとともに他端側が第２の可動ハウジング６０に保持され、第２の固定ハウジング５０に対する第２の可動ハウジング６０の移動に伴って弾性変形するように形成された第２の端子としての複数のソケット端子７０と、第２の可動ハウジング６０の幅方向、前後方向及び上下方向への移動を規制する一対の第２のストッパ部材８０とが設けられている。
【００１８】
第２の固定ハウジング５０は、第１の固定ハウジング１０と同一形状の部品によって形成されている。この場合、第２の固定ハウジング５０には、第１の固定ハウジング１０の前面部１１、背面部１２、側面部１３、底面部１４、各端子孔１５、各突出部１６、各溝部１７及び係合部１８と同様の前面部５１、背面部５２、側面部５３、底面部５４、各端子孔５５、各突出部５６、各溝部５７及び係合部５８が設けられている。
【００１９】
第２の可動ハウジング６０は合成樹脂の成形品からなり、上面が開口した箱型形状をなすハウジング本体６１が設けられている。ハウジング本体６１の底面中央部には、上方に突出するとともに第１の可動ハウジング２０のハウジング本体２１に嵌合可能に形成された嵌合部６２が設けられており、嵌合部６２の前面及び後面には、各ソケット端子７０を保持する複数の端子孔６３がハウジング本体６１の底面部を上下方向に貫通するように形成されている。また、ハウジング本体６１の前面及び後面には、それぞれ第２の可動ハウジング６０の外側に向かって延出するフランジ６４がそれぞれ設けられており、ハウジング本体６１の幅方向両側面には、第２の固定ハウジング５０の係合部５８に係合する突起６５がそれぞれ設けられている。
【００２０】
ソケット端子７０は弾性変形可能な導電性の金属板からなり、ソケット２の前後方向両側にそれぞれ一列ずつ配列されている。ソケット端子３０は、図７に示すように、第２の基板２００に接続される接続部７１が後方に延びるように形成されている。また、ソケット端子７０には、接続部７１の後端から斜め上方に向かって延びる第１の真直部７２と、第１の真直部７２の上端から上方に向かって屈曲する屈曲部７３と、屈曲部７３から後方に延びる第２の真直部７４と、第２の真直部７４の後端から上方に向かって延びる第３の真直部７５と、第３の真直部７５の上端から前方に向かって延びる第４の真直部７６と、第４の真直部７６から前方に向かって屈曲しながら下方に延びる接触部７７とが設けられており、プラグ端子３０は、屈曲部７３を基点として幅方向、前後方向及び上下方向に弾性変形するようになっている。
【００２１】
各第２のストッパ部材８０は、第１のストッパ部材４０と同一形状の部品によって形成されており、第２のストッパ部材８０には、第１のストッパ部材４０の規制部本体４１及び各基板接続部４２と同様の規制部本体８１及び一対の基板接続部８２が設けられている。
【００２２】
ここで、各ソケット端子７０を第２の固定ハウジング５０に取り付ける場合には、端子孔５５にソケット端子７０を上方から圧入する。このとき、図８に示すように、ソケット端子７０の第１の真直部７２の上端側が第２の固定ハウジング５０の端子孔５５に保持される。また、各ソケット端子７０に対して第２の可動ハウジング６０を上方から圧入すると、ソケット端子７０の第３の真直部７５が、第２の可動ハウジング６０の端子孔６３に保持される。この場合、第２の可動ハウジング６０の突起６５は第２の固定ハウジング５０の係合部５８内に配置され、係合部５８によって突起６５即ち第２の可動ハウジング６０の前後方向及び下方への移動が所定範囲内に規制される。また、第２のストッパ部材８０が第２の固定ハウジング５０の溝部５７に圧入されると、係合部５８の上方が規制部本体８１によって覆われ、第２の可動ハウジング６０の幅方向及び上方への移動が所定範囲内に規制される。
【００２３】
この場合、各ソケット端子７０の接続部７１が第２の固定ハウジング５０の前後方向に突出し、各突出部５６が各プラグ端子３０の接続部３１より外側に向かって突出するようになっている。また、各ソケット端子７０の一端側、即ち第１の真直部７２、屈曲部７３及び第２の真直部７４は、上方が第２の可動ハウジング６０のフランジ６４に覆われるとともに、下方が第２の固定ハウジング５０の底面部５４によって覆われる。
【００２４】
以上のように構成されたコネクタは、一対の基板１００，２００を電気的に接続するために用いられる。図９に示すように、第２の基板２００に接続されたソケット２の上方に第１の基板１００に接続されたプラグ１が配置されている場合に、プラグ１を下方に移動させて第１の可動ハウジング２０のハウジング本体２１を第２の可動ハウジング６０の嵌合部６２に嵌合させると、図１０に示すように、各ソケット端子７０の接触部７７が各プラグ端子３０の接触部３５に接触する。ここで、第１の固定ハウジング１０と第２の固定ハウジング５０の一方が他方に対して幅方向、前後方向または上下方向に移動すると、端子３０，７０が弾性変形し、各固定ハウジング１０，５０の相対的な位置ずれが吸収される。
【００２５】
このように、本実施形態のコネクタによれば、第１の基板１００側に配置される第１の固定ハウジング１０と、第１の固定ハウジング１０に対して移動可能に設けられた第１の可動ハウジング２０と、一端側が第１の固定ハウジング１０に保持されるとともに他端側が第１の可動ハウジング２０に保持され、第１の可動ハウジング２０の移動に伴って弾性変形するように形成された複数のプラグ端子３０と、第２の基板２００側に配置される第２の固定ハウジング５０と、第２の固定ハウジング５０に対して移動可能に設けられ、第１の可動ハウジング２０に嵌合可能に形成された第２の可動ハウジング６０と、一端側が第２の固定ハウジング５０に保持されるとともに他端側が第２の可動ハウジング６０に保持され、第２の可動ハウジング６０の移動に伴って弾性変形するとともに、第２の可動ハウジング６０が第１の可動ハウジング２０に嵌合したときに各プラグ端子３０の他端側にそれぞれ接触するように形成された複数のソケット端子７０とを備えたので、各端子３０，７０の一方が弾性変形すると他方も弾性変形することから、プラグ端子３０の弾性変形によってソケット端子７０に生じる負荷を低減させることができ、ソケット端子７０と第２の基板２００との接続信頼性を向上させることができる。また、各端子３０，７０が弾性変形するので、可動範囲を大きくすることができるとともに、第１の基板１００と第２の基板との位置ずれを吸収して電気的接続を容易に行うことができる。
【００２６】
また、第１の可動ハウジング２０に、他端側が保持された各プラグ端子３０の一端側を覆うように第２の可動ハウジング６０との嵌合方向（図中Ｚ方向）に直交する方向（図中Ｙ方向）に延出するフランジ２３を設けたので、各プラグ端子３０の一端側が嵌合方向に露出することがなく、第１の可動ハウジング２０と第２の可動ハウジング６０とが未完全嵌合状態の場合に各端子３０，７０が接触することがない。従って、第１の可動ハウジング２０と第２の可動ハウジング６０とが未完全嵌合状態の場合に、プラグ１とソケット２との間に位置ずれが生じて接触不良になることを確実に防止することができる。
【００２７】
さらに、第２の可動ハウジング６０に、他端側が保持された各ソケット端子７０の一端側を覆うように第１の可動ハウジング２０との嵌合方向（図中Ｚ方向）に直交する方向（図中Ｙ方向）に延出するフランジ６４を設けたので、各ソケット端子７０の一端側が嵌合方向に露出することがなく、第１の可動ハウジング２０と第２の可動ハウジング６０とが未完全嵌合状態の場合に各端子３０，７０が接触することがない。従って、第１の可動ハウジング２０と第２の可動ハウジング６０とが未完全嵌合状態の場合に、プラグ１とソケット２との間に位置ずれが生じて接触不良になることを確実に防止することができる。
【００２８】
また、第１の固定ハウジング１０及び第２の固定ハウジング５０を互いに同一形状の部品によって形成したので、プラグ１及びソケット２に共通の部品を用いることができる。従って、コネクタの製造において部品の種類を少なくすることができ、製造コストを低減させることができる。
【００２９】
さらに、第１の固定ハウジング１０に、各プラグ端子３０の一端側を第１の基板１００側から覆う底面部１４を設けたので、各プラグ端子３０の一端側が第１の基板１００に接触することがなく、各プラグ端子３０が弾性変形した場合に第１の基板１００に短絡することを確実に防止することができる。
【００３０】
また、第２の固定ハウジング５０に、各ソケット端子７０の一端側を第２の基板２００側から覆う底面部５４を設けたので、各ソケット端子７０の一端側が第２の基板２００に接触することがなく、各ソケット端子７０が弾性変形した場合に第２の基板２００に短絡することを確実に防止することができる。
【００３１】
さらに、第１の固定ハウジング１０に，各プラグ端子３０と第１の基板１００との接続部３１よりも外側に向かって突出する突出部１６を設けたので、第１の可動ハウジング２０と第２の可動ハウジング６０とがこじり嵌合した場合に、各プラグ端子３０の接続部３１が第１の基板１００側に押圧されることを突出部１６によって吸収することができ、押圧による各プラグ端子３０の接続部３１の破損を防止することができる。
【００３２】
また、第２の固定ハウジング５０に，各ソケット端子７０と第２の基板２００との接続部７１よりも外側に向かって突出する突出部５６を設けたので、第１の可動ハウジング２０と第２の可動ハウジング６０とがこじり嵌合した場合に、各ソケット端子７０の接続部７１が第２の基板２００側に押圧されることを突出部５６によって吸収することができ、押圧による各ソケット端子７０の接続部７１の破損を防止することができる。
【図面の簡単な説明】
【００３３】
【図１】本発明の一実施形態によるプラグの斜視図
【図２】プラグの平面図
【図３】プラグ端子の側面図
【図４】プラグの側面断面図
【図５】本発明の一実施形態によるソケットの斜視図
【図６】ソケットの平面図
【図７】ソケット端子の側面図
【図８】ソケットの側面断面図
【図９】プラグとソケットの嵌合時の動作を示す側面断面図
【図１０】プラグとソケットの嵌合時の動作を示す側面断面図
【符号の説明】
【００３４】
１０…第１の固定ハウジング、１４…底面部、１６…一対の突出部、２０…第１の可動ハウジング、２３…フランジ、３０…複数のプラグ端子、５０…第２の固定ハウジング、５４…底面部、５６…一対の突出部、６０…第２の可動ハウジング、６４…フランジ、７０…複数のソケット端子、１００…第１の基板、２００…第２の基板。
【図１】
2007220542.tif 000003
【図２】
2007220542.tif 000004
【図３】
2007220542.tif 000005
【図４】
2007220542.tif 000006
【図５】
2007220542.tif 000007
【図６】
2007220542.tif 000008
【図７】
2007220542.tif 000009
【図８】
2007220542.tif 000010
【図９】
2007220542.tif 000011
【図１０】
2007220542.tif 000012